(57)【要約】【課題】自動販売機における商品通路内で詰まるのを抑制する。【解決手段】口部１１、肩部１２、胴部１３および底部１４が合成樹脂で一体に形成されてなり、胴部１３に、その横断面視が多角形状となるように、このボトル１０の中心軸線Ｏ回りに複数の主壁面１５が備えられた角形ボトル１０であって、主壁面１５同士を連結する連結部には、胴部における各横断面内において最大径部分となる稜線部分１６が備えられ、この稜線部分１６には、ボトル１０の中心軸線Ｏ方向上方および下方からそれぞれ、中央部に向かうに従い漸次、前記中心軸線Ｏから離れるように傾斜して延在した一対の傾斜稜線部１８が備えられ、前記稜線部分１６において前記一対の傾斜稜線部１８の間に位置し、かつ前記中心軸線Ｏ方向に沿ってこの中心軸線Ｏと平行に延びる中央稜線部１７に、面取り部２０が形成されている。【選択図】図１
2008110804.tif 000002
【特許請求の範囲】
【請求項１】
口部、肩部、胴部および底部が合成樹脂で一体に形成されてなり、
前記胴部に、その横断面視が多角形状となるように、このボトルの中心軸線回りに複数の主壁面が備えられた角形ボトルであって、
前記主壁面同士を連結する連結部には、胴部における各横断面内において最大径部分となる稜線部分が備えられ、
この稜線部分には、ボトルの中心軸線方向上方および下方からそれぞれ、中央部に向かうに従い漸次、前記中心軸線から離れるように傾斜して延在した一対の傾斜稜線部が備えられ、
前記稜線部分において前記一対の傾斜稜線部の間に位置し、かつ前記中心軸線方向に沿ってこの中心軸線と平行に延びる中央稜線部に、面取り部が形成されていることを特徴とする角形ボトル。
【請求項２】
請求項１記載の角形ボトルであって、
前記連結部は平坦面の隅角壁面により構成されるとともに、前記主壁面と隅角壁面との境界が前記稜線部分とされ、前記中心軸線回りで隣接する面取り部が、この中心軸線回りに間隔をあけて形成されていることを特徴とする角形ボトル。
【請求項３】
請求項１または２に記載の角形ボトルであって、
胴部の前記中心軸線方向の中央には、その全周にわたって環状凹リブが形成され、前記面取り部は前記環状凹リブを跨って形成されていることを特徴とする角形ボトル。
【請求項４】
請求項１から３のいずれかに記載の角形ボトルであって、
前記面取り部は、少なくとも前記中央稜線部の中心軸線方向における全長にわたって形成されていることを特徴とする角形ボトル。
【発明の詳細な説明】
【技術分野】
【０００１】
本発明は、合成樹脂製の角形ボトルに関するものである。
【背景技術】
【０００２】
この種の角形ボトルとして、例えば下記特許文献１に示されるような、口部、肩部、胴部および底部が合成樹脂で一体に形成されてなり、前記胴部に、その横断面視が多角形状となるように、このボトルの中心軸線回りに複数の主壁面が備えられた構成が知られている。
ところで、近年では、このような角形ボトルも自動販売機で販売されるようになっている。この自動販売機には、一般に、鉛直方向上方に設けられた商品投入口と、下方に設けられた商品取り出し口と、これらの商品投入口と商品取り出し口とをつなぐ商品通路と、が備えられ、前記商品通路は、商品投入口から商品取り出し口に向かう方向に沿って順次配置された複数の円弧板で構成されて蛇行している。このような商品通路内の角形ボトルは、その中心軸線が水平方向に向くように横倒し姿勢とされて、この中心軸線回りに回転しつつ、隣接する角形ボトルの胴部外面や前記円弧板の表面に当接しながら、商品取り出し口に向けて移動している。
【特許文献１】特開平１０−３０５８２３号公報
【発明の開示】
【発明が解決しようとする課題】
【０００３】
しかしながら、前記従来の角形ボトルは、自動販売機における商品通路内で詰まり易いという問題があった。すなわち、この角形ボトルが、商品通路内を商品取り出し口に向けて移動する過程で、このボトルに、その上方から他の角形ボトルの重量が径方向内方に向けて加えられたときに、ボトルの最大径部分を構成する稜線部分の上下端部が、商品通路の前記円弧板の表面に密接することがあり、この場合、角形ボトルが商品通路内で動かなくなり、この通路内で詰まるという問題があった。
【０００４】
本発明は、このような事情を考慮してなされたもので、自動販売機における商品通路内で詰まるのを抑制することができる角形ボトルを提供することを目的とする。
【課題を解決するための手段】
【０００５】
上記課題を解決して、このような目的を達成するために、本発明の角形ボトルは、口部、肩部、胴部および底部が合成樹脂で一体に形成されてなり、前記胴部に、その横断面視が多角形状となるように、このボトルの中心軸線回りに複数の主壁面が備えられた角形ボトルであって、前記主壁面同士を連結する連結部には、胴部における各横断面内において最大径部分となる稜線部分が備えられ、この稜線部分には、ボトルの中心軸線方向上方および下方からそれぞれ、中央部に向かうに従い漸次、前記中心軸線から離れるように傾斜して延在した一対の傾斜稜線部が備えられ、前記稜線部分において前記一対の傾斜稜線部の間に位置し、かつ前記中心軸線方向に沿ってこの中心軸線と平行に延びる中央稜線部に、面取り部が形成されていることを特徴とする。
この発明によれば、前記稜線部分が傾斜稜線部を備えているので、角形ボトルが、横倒し姿勢とされた状態で自動販売機の商品通路内を商品取り出し口に向けて移動する過程で、このボトルの前記稜線部分の上下端部が、商品通路を構成する円弧板の表面に密接してボトルの詰まりを誘発するようなおそれを解消することができる。例えば、前記稜線部分のうち中央稜線部が前記円弧板の表面に当接し、かつこのボトルに、その上方から他の角形ボトルの重量が径方向内方に向けて加えられたときに、このボトルを、中央稜線部が前記円弧板の表面から離れて前記一対の傾斜稜線部のうちの一方が前記円弧板の表面に当接するように、傾けることが可能になる。これにより、角形ボトルが商品通路内を商品取り出し口に向けて移動する過程で、前記稜線部分の上下端部が前記円弧板の表面に密接するのを抑制することが可能になり、このボトルが商品通路内で詰まるのを防ぐことができる。
特に、前記中央稜線部に面取り部が形成されているので、前記の作用効果が確実に奏功されることになる。すなわち、稜線部分に傾斜稜線部を備えたことにより、中央稜線部と、商品通路を構成する円弧板の表面との間のクリアランスが見かけ上小さくなったとしても、前記面取り部によって、角形ボトルの商品通路内での移動を妨げない程度に、この角形ボトルを商品通路内で水平方向に対して傾け易くするクリアランスは確保することが可能になる。
【０００６】
ここで、前記連結部は平坦面の隅角壁面により構成されるとともに、前記主壁面と隅角壁面との境界が前記稜線部分とされ、前記中心軸線回りで隣接する面取り部が、この中心軸線回りに間隔をあけて形成されてもよい。
この場合、前記中心軸線回りで隣接する面取り部が、この中心軸線回りに間隔をあけて形成されているので、中央稜線部に面取り部を設けたことにより、商品通路内における角形ボトルの水平方向に対する傾斜移動量が大きくなり過ぎて、例えば肩部、キャップ若しくは底部等が前記円弧板の表面に引っかかり易くなるのを防ぐことができる。さらに、この角形ボトルの例えば座屈強度等といった機械的強度が低下するのを防ぐこともできる。
【０００７】
また、胴部の前記中心軸線方向の中央には、その全周にわたって環状凹リブが形成され、前記面取り部は前記環状凹リブを跨って形成されてもよい。
この場合、環状凹リブが設けられているので、胴部に作用した径方向内方の圧縮力により、この胴部に径方向内方に向けた凹み変形が生ずるのを抑えることが可能になるとともに、前記面取り部がこの環状凹リブを跨って形成されているので、この面取り部を設けたことにより角形ボトルの剛性等が低下するのを防ぐことができる。
【０００８】
さらに、前記面取り部は、少なくとも前記中央稜線部の中心軸線方向における全長にわたって形成されてもよい。
この場合、面取り部を設けたことによるボトルの詰まりを防止する効果をより確実に奏することが可能になる。
【発明の効果】
【０００９】
この発明に係る角形ボトルによれば、自動販売機における商品通路内で詰まるのを抑制することができる。
【発明を実施するための最良の形態】
【００１０】
以下、図面を参照し、この発明の実施の形態について説明する。本実施形態に係る角形ボトル１０は、図１に示されるように、口部１１、肩部１２、胴部１３および底部１４からなり、例えば二軸延伸ブロー成形によりポリエチレンテレフタレート等の合成樹脂で一体に形成されている。これらの口部１１、肩部１２、胴部１３および底部１４は、それぞれの中心軸線を共通軸上に位置させた状態で、この共通軸方向の上方から下方に向けてこの順に連設されている。なお、口部１１の外周面には雄ねじ部１１ａが形成されており、この雄ねじ部１１ａに図示されないキャップが着脱可能に螺着されるようになっている。
ここで、角形ボトル１０の横断面形状は、図２に示されるように多角形状とされており、前記共通軸はこの横断面がなす多角形の中央部を通る直線となっている。以下、この共通軸を中心軸線Ｏという。
【００１１】
本実施形態では、胴部１３に、その横断面視が前述のように多角形状となるように、前記中心軸線Ｏ回りに複数の主壁面１５が備えられている。主壁面１５同士を連結する連結部には、胴部１３における各横断面内、すなわち前記中心軸線Ｏに直交する直交面内において最大径部分となる稜線部分１６が備えられている。この稜線部分１６は、前記中心軸線Ｏ方向上方および下方からそれぞれ、中央部に向かうに従い漸次、前記中心軸線Ｏから離れるように傾斜して延在した一対の傾斜稜線部１８を備えている。
【００１２】
本実施形態では、前記連結部は、主壁面１５よりも前記中心軸線Ｏ回りの長さが短い平坦面の隅角壁面１９により構成されて、前記稜線部分１６は主壁面１５と隅角壁面１９との境界となっている。なお、図示の例では、主壁面１５および隅角壁面１９はそれぞれ、４つずつ設けられ、２つの主壁面１５が前記中心軸線Ｏを挟んで互いに対向して配置されるとともに、２つの隅角壁面１９も前記中心軸線Ｏを挟んで互いに対向して配置されている。これにより、胴部１３の横断面視形状は、前記中心軸線Ｏを基準とした点対称となっている。
【００１３】
そして、本実施形態では、稜線部分１６において前記一対の傾斜稜線部１８の間に位置し、かつ前記中心軸線Ｏ方向に沿ってこの中心軸線Ｏと平行に延びる中央稜線部１７に、面取り部２０が形成されている。図示の例では、この面取り部２０は、胴部１３の側面視で前記中心軸線Ｏ方向に長い長方形状の平坦面となっている。また、前記中心軸線Ｏ回りで隣接する面取り部２０は、この中心軸線Ｏ回りに間隔をあけて形成されている。
【００１４】
ここで、本実施形態では、隅角壁面１９は、稜線部分１６に沿って前記中心軸線Ｏ方向に延在している。すなわち、隅角壁面１９は、中心軸線Ｏ方向の中央部に位置し、かつ中心軸線Ｏ方向に沿ってこの中心軸線Ｏと平行に延在したストレート部１９ｂと、前記中心軸線Ｏ方向上方および下方からそれぞれ、ストレート部１９ｂに向かうに従い漸次、前記中心軸線Ｏから離れるように傾斜して延在した一対のテーパ部１９ａと、を備えている。なお、主壁面１５は、前記中心軸線Ｏ方向における全長にわたって、この中心軸線Ｏと平行に延在している。
【００１５】
さらに、本実施形態では、胴部１３の中心軸線Ｏ方向中央に、その全周にわたって環状凹リブ２１が形成されており、面取り部２０は環状凹リブ２１を跨って形成されている。なお、複数の主壁面１５にはそれぞれ、減圧吸収パネル１５ｃ等の機能部が凹設されている。
また、面取り部２０は、その中心軸線Ｏ方向における両端がそれぞれ、傾斜稜線部１８にまで到達するように、中央稜線部１７の中心軸線Ｏ方向における全長にわたって形成されている。
【００１６】
また、面取り部２０は、中央稜線部１７を跨いで主壁面１５、および隅角壁面１９のストレート部１９ｂの双方にわたって形成されている。この面取り部２０において、主壁面１５に位置する部分は、隅角壁面１９のストレート部１９ｂに位置する部分よりも、中心軸線Ｏ回りの長さが短くなっている。また、隅角壁面１９のストレート部１９ｂにおいて、中心軸線Ｏ回りで隣接する面取り部２０同士の間隔、つまり面取り部２０が形成さていない平坦面１９ｃにおける中心軸線Ｏ回りの大きさは、この面取り部２０のうち隅角壁面１９のストレート部１９ｂに位置する部分における中心軸線Ｏ回りの大きさと同等となっている。
【００１７】
以上説明したように本実施形態に係る角形ボトル１０によれば、稜線部分１６が傾斜稜線部１８を備えているので、角形ボトル１０が、横倒し姿勢とされた状態で自動販売機の商品通路内を商品取り出し口に向けて移動する過程で、このボトル１０の稜線部分１６における前記中心軸線Ｏ方向の上下端部が、商品通路を構成する円弧板の表面に密接してボトルの詰まりを誘発するようなおそれが解消することができる。
【００１８】
例えば、稜線部分１６のうち中央稜線部１７が前記円弧板の表面に当接し、かつこのボトル１０に、その上方から他の角形ボトル１０の重量が径方向内方に向けて加えられたときに、このボトル１０を、中央稜線部１７が前記円弧板の表面から離れて一対の傾斜稜線部１８のうちの一方が前記円弧板の表面に当接するように、傾けることが可能になる。これにより、角形ボトル１０が商品通路内を商品取り出し口に向けて移動する過程で、稜線部分１６の上下端部が前記円弧板の表面に密接するのを抑制することが可能になり、このボトル１０が商品通路内で詰まるのを防ぐことができる。
【００１９】
特に、中央稜線部１７に面取り部２０が形成されているので、前記の作用効果が確実に奏功されることになる。すなわち、稜線部分１６に傾斜稜線部１８を備えたことにより、中央稜線部１７と、商品通路を構成する円弧板の表面との間のクリアランスが見かけ上小さくなったとしても、面取り部２０によって、角形ボトル１０の商品通路内での移動を妨げない程度に、この角形ボトル１０を商品通路内で水平方向に対して傾け易くするクリアランスは確保することが可能になる。
【００２０】
また、本実施形態では、前記中心軸線Ｏ回りで隣接する面取り部２０が、この中心軸線Ｏ回りに間隔をあけて形成されているので、中央稜線部１７に面取り部２０を設けたことにより、商品通路内における角形ボトル１０の水平方向に対する傾斜移動量が大きくなり過ぎて、例えば肩部１２、キャップ若しくは底部１４等が前記円弧板の表面に引っかかり易くなるのを防ぐことができる。さらに、この角形ボトル１０の例えば座屈強度等の機械的強度が低下するのを防ぐこともできる。
【００２１】
さらに、本実施形態では、胴部１３に環状凹リブ２１が設けられているので、胴部１３に作用した径方向内方の圧縮力により、この胴部１３に径方向内方に向けた凹み変形が生ずるのを抑えることが可能になるとともに、面取り部２０がこの環状凹リブ２１を跨って形成されているので、この面取り部２０を設けたことにより角形ボトル１０の剛性等が低下するのを防ぐことができる。
【００２２】
さらにまた、面取り部２０が中央稜線部１７の前記中心軸線Ｏ方向における全長にわたって形成されているので、この面取り部２０を設けたことによる角形ボトル１０の詰まりを防止する効果をより確実に奏することが可能になる。
【００２３】
なお、本発明の技術的範囲は前記実施の形態に限定されるものではなく、本発明の趣旨を逸脱しない範囲において種々の変更を加えることが可能である。
例えば、前記実施形態では、胴部１３として、稜線部分１６を介して中心軸線Ｏ回りに交互に連設された主壁面１５と隅角壁面１９とを備える構成を示したが、これに代えて、複数の主壁面１５を、隅角壁面１９を介在させないで稜線部分１６のみを介して中心軸線Ｏ回りに連設するようにしてもよい。すなわち、前記連結部を稜線部分１６としてもよい。さらに、前記連結部として隅角壁面１９を示したが、その形態は前記実施形態に限られるものではなく、例えば凸曲面状、凹曲面状、若しくは複数の平面が連設された構成を採用してもよい。
また、胴部１３の横断面視形状は、多角形状とされていれば、前述した形態に限られるものではない。
【００２４】
さらに、前記実施形態では、胴部１３に環状凹リブ２１および減圧吸収パネル１５ｃを形成したが、これらは設けなくてもよい。
また、面取り２０として、その中心軸線Ｏ方向における両端がそれぞれ、傾斜稜線部１８まで延びる構成を示したが、この面取り部２０を中央稜線部１７内に限定してその全長にわたって形成してもよいし、中央稜線部１７の一部に形成してもよい。さらに、面取り部２０は、例えば中心軸線Ｏ方向に沿って点在させてもよく、前記面取り部２０は平坦面、凸曲面、凹曲面など、成形性等を考慮して適宜選択することができる。
【産業上の利用可能性】
【００２５】
自動販売機における商品通路内で詰まるのを抑制することができる。
【図面の簡単な説明】
【００２６】
【図１】本発明に係る一実施形態として示した角形ボトルの側面図である。
【図２】図１に示す角形ボトルのＡ−Ａ線矢視断面図である。
【符号の説明】
【００２７】
１０  角形ボトル
１１  口部
１２  肩部
１３  胴部
１４  底部
１５  主壁面
１６  稜線部分
１７  中央稜線部
１８  傾斜稜線部
１９  隅角壁面
２０  面取り部
２１  環状凹リブ
Ｏ  中心軸線
【図１】
2008110804.tif 000003
【図２】
2008110804.tif 000004